(57)【要約】      （修正有）【課題】自立での歩行が困難な人が、その障害を回復するために使用する歩行訓練機能と散歩や買い物のための移動機能を備えた歩行訓練兼用一輪車を提供する。【解決手段】主に遊戯用として使われている一輪車に、五個の自在式補助輪を配設した平面形状円形の枠と、平面形状Ｕ字形のアームレストを二本の支柱で連結したフレームを装着させ、さらに該円形枠上に電動アシスト装置を搭載し、必要に応じてこの動力を一輪車の車輪に伝達出来るようにした。【選択図】図１
0003152703.tif 000002
【実用新案登録請求の範囲】
【請求項１】
主に遊戯用として使われている一輪車を、複数の補助輪を配備したフレームに組み込み、乗車時の安定を図り、かつ、転倒を防止するための下記機能を持たせた歩行訓練兼用一輪車。
▲１▼補助輪の配置は、図２に示す如く平面で見て、正五角形の各頂点の位置に取り付ける。これは四つの車輪即ち四点で支えられている従来の車椅子等に比べ転倒しにくい構造である。
【請求項２】
一輪車に電動アシスト装置を取り付けられる構造とし、必要に応じて「人力のみ」、及び「動力併用」の切り替えが出来るようにした歩行訓練兼用一輪車。
【請求項３】
左右一対の補助輪、即ち、図２に於ける▲５▼の補助輪にブレーキ装置を設け、そのブレーキ装置を操作するレバーを左右別々に設ける。
下記の如く、このレバーの操作だけで制動及び操舵を可能にした歩行訓練兼用一輪車。
▲１▼両方のレバーを同時に引くと左右一対の補助輪にブレーキが掛かり、同時に、電動アシスト装置のモーターが停止し、一輪車も停止する。
▲２▼片側だけのレバー引くと、図２に示す如く当該車輪の位置、即ち点ｐを中心とした半径ｒの円を描きながら転回するので、機体は右方向に回る。なお、この方法は回転半径を小さく抑えられるので、狭い場所での走行に適する。
【請求項４】
一輪車の左右両側に備えられたペダルのクランクアームの長さは、左右別々に無断階に調整できる構造になっているので、利用者の脚の状態に合わせて無理なく使用出来るようにした歩行訓練兼用一輪車。
【考案の詳細な説明】
【技術分野】
【０００１】  本考案は、自立での歩行が困難な人が、その障害を回復するために使用する歩行訓練機能と散歩や買い物のための移動機能を備えた歩行訓練兼用一輪車に関する。
【背景技術】
【０００２】  超高齢化社会の中にあって、高齢者や障害者の中には、歩行訓練をする必要のある人は多い。しかし、介護者の絶対数にも問題があり、また、従来のようなリハビリ施設を利用した歩行訓練は、特別な設備を必要とする上、長時間の訓練が必要なのに、介護用機器の台数にも限りがあるところから、充分な練習が出来ないのが実情である。
【考案の概要】
【考案が解決しようとする課題】
【０００３】  歩行することは日常の生活の中で大きな部分を占めているので、この機会を有効に使えば相当量の訓練が出来る。それには、本人自身が自らその訓練を行えるような設備、即ち、何時でも、何処でも、独りでも、訓練に取り組むことが出来るような用具の考案が望まれる。しかし、現在の福祉用具の中には歩行訓練用（手摺り等）、歩行補助用（歩行器等）、移動用（車椅子等）と、それぞれ独立して存在するだけで、一台で多目的に使用出来る用具が無い。
【課題を解決するための手段】
【０００４】  歩く機会は有効なリハビリの場である。しかし、障害を持った人にすれば、その障害があるがゆえに外出したくないと言う人が多い。家の中では杖や手摺を使って歩行訓練をしても、屋外に出て鍛えようとする人は少ない。結局、有効なリハビリの場たる歩く機会を失っている。
「この人達を外へ出そう」。これがこの考案の最大のコンセプトである。
杖の代わり、歩行器の代わり、車椅子の代わりになって、青空の下、大地の上を歩いてもらいたい。
一輪車のペダルを漕ぐことによって訓練しながら移動し、疲れたり、上り坂に来たりした時は、アシスト装置の力が借りられるという安心感が、この方達の行動範囲を広げてくれるはずである。
【考案の効果】
【０００５】  「訓練用でもあり、移動用でもある」。これは決して経済的効果を狙ったものではなく、利用者がその時の体調に合わせ、如何様にも使えるという利便性と、障害者の場合、ケアープランに則した使い方が出来るという、訓練に重点を置いた合理性を併せ持ったものである。
従来の車椅子は、「障害者用の乗り物」とのイメージが強い上、単なる移動用具であって訓練用ではない。加えて、脚力が衰えた老齢者や歩行困難な障害者が、車椅子で移動する時の目線は低い位置にあるが、この歩行訓練兼用一輪車に乗った場合は、歩行者と同等の高さにあるので、「ヒューマンスケール」という視点からも、精神衛生上たいへん好ましいものと言える。
【考案を実施するための最良の形態】
【０００６】  本考案を実施するに際し、どのような人を対象にするかが非常に重要な要素となったが、やはり、「自立支援」、「残存機能の強化」と言う立場から、訓練用に重点を置くことにした。しかし、脚力の弱った高齢者や、脚に障害を持った方達が抱く「人に会いたい」「買い物をしたい」等の欲望を満足させるための移動用具としての役割も欠かし難いものと考えた。考案の名称が示す如く本機はあくまでも訓練用と移動用の兼用機であって、表現を変えれば、「訓練機能を備えた車椅子」である。
【図面の簡単な説明】
【０００７】
【図１】  本考案に係る一輪車に、転倒防止用フレームと電動アシスト装置を取りつけた鳥瞰図である。
【図２】  本考案に係る一輪車が方向転回する時の原理を説明した解説図である。
【符号の説明】
【０００８】  ▲１▼一輪車                  ▲７▼クランクアーム
▲２▼転倒防止用フレーム      ▲８▼ペダル
▲３▼電動アシスト装置        ▲９▼動力伝達用チェーン
▲４▼ブレーキ装置付補助輪    ▲１０▼サドル高さ調整器
▲５▼補助輪                  ▲１１▼アームレスト
▲６▼ブレーキレバー          ▲１２▼モーター入切スイッチ
【図１】
0003152703.tif 000003
【図２】
0003152703.tif 000004
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
主に遊戯用として使われている一輪車に、五個の自在式補助輪を配設した平面形状円形の枠と、平面形状Ｕ字形のアームレストを二本の支柱で連結したフレームを装着させ、さらに該円形枠上に電動アシスト装置を搭載し、必要に応じてこの動力を一輪車の車輪に伝達出来るようにした歩行訓練兼用一輪車。
【請求項２】
前記五個の補助輪のうち、左右対称となる二個の車輪にブレーキパットを設け、また、前記アームレスト上に左右別々のブレーキレバーを設置し、この両者間を左右別々のワイヤーで接続する、該レバーを左右同時に強く握ると車輪に摩擦力が架かると共に電動アシスト装置の電源が遮断して機体が停止する構造の制動機能を有した請求項１記載の歩行訓練兼用一輪車。
【請求項３】
前記ブレーキ装置は、左右どちらか一方のレバーを握ると、当該車輪だけが停止し、機体はその車輪ｐを中心とした半径ｒの円を描きながら転回する構造になっている、即ちブレーキレバーの操作だけで進行方向を変えることができる操舵機能を有した請求項１記載の歩行訓練兼用一輪車。
【手続補正２】
【補正対象書類名】明細書
【補正対象項目名】０００４
【補正方法】変更
【補正の内容】
【０００４】  歩く機会は有効なリハビリの場である。しかし、障害を持つ人にとっては、その障害があるがゆえに外出したくないとする場合が多い。家の中では杖や手摺を使って歩行訓練をしても、屋外に出て鍛えようとする人は少ない。結局、有効なリハビリの場たる歩く機会を自ら放棄しているのが現実である。
「この人達を外へ出そう」。これがこの考案の最大のコンセプトである。杖の代わり、歩行器の代わり、車椅子の代わりになって青空の下、大地の上を歩いてもらいたい。しかし、脚を動かし体全体でバランスをとりながら操る従来の一輪車に転倒防止用の補助輪を装備しただけでは、下肢に障害を持つ人にとって十分な助けとはならない。これに実用新案登録請求の範囲に示す補助装置としての電動アシスト機能、制動機能、そして操舵機能を付加し、何時でもそれらの助けを借りられるようにしてこの方達の行動範囲を広げるための手段になればと考えた。